(57)【要約】【課題】本体部の上面に設けたコントロールボックスの上面のスイッチ操作部をカバーフィルムで覆うものにおいて、カバーフィルムの端部の接着が剥がれた場合、その部分から入った水がコントロールボックス内から下方へ落下し、本体部内に設けた電装ボックス内の電気部品に掛かり故障の原因になる。電装ボックスを防水構造とすれば問題ないがコストアップとなる。本発明は、コントロールボックス内に侵入した水が、非防水型電装ボックス内に侵入しない構成を提供する。【解決手段】本体部の上面板の上面後部に配置したコントロールパネルの直下の本体部内に非防水型電装ボックスを備え、コントロールパネルの電気部品と電装ボックス内の電気部品が上面板を貫通するリード線にて接続されるものであって、電装ボックスは、背壁を前側とし本体部の後方に向けて開口し、上壁は端部に防水立壁を形成して背壁へ向け低く傾斜し、かつ上壁の端部が側壁の上端部の上側にオーバーラップし、リード線が電装ボックスの側壁を貫通して配線されたこと。【選択図】図４
2011072508.tif 000002
【特許請求の範囲】
【請求項１】
本体部の上面に開口した縦型チャンバーと、前記開口を開閉する蓋と、前記本体部の上面板の上面後部に配置したコントロールパネルと、前記コントロールパネルの直下の前記本体部内に配置され前記上面板を貫通して延びるリード線にて前記コントロールパネルの電気部品と接続される電気部品を収容した非防水型電装ボックスを備えた縦型蒸気滅菌器において、前記電装ボックスは、背壁を前側とし前記本体部の後方に向けて開口し、上壁は端部に防水立壁を形成して前記背壁へ向け低く傾斜し、かつ前記上壁の端部が側壁の上端部の上側にオーバーラップし、前記コントロールパネルと前記電装ボックスに亘るリード線が前記電装ボックスの側壁を貫通して配線されたことを特徴とする縦型蒸気滅菌器。
【発明の詳細な説明】
【技術分野】
【０００１】
本発明は、主として病院等に設置して医療用器具等の被滅菌物を高温高圧蒸気下で滅菌する縦型蒸気滅菌器に関し、特に、電装部の防水構造に関する。
【背景技術】
【０００２】
本体部の上面に開口した縦型チャンバーを蓋で開閉する縦型蒸気滅菌器として、特許文献１がある。この特許文献１のものは、前記開口を挟む位置に支持部と抑え部が配置され一端部が前記抑え部に対して上下動可能なるよう他端部が前記支持部に左右方向回動可能に支持されたアームと、上端部にハンドルを備え下端部に前記蓋を回転可能に支持し中間部に形成した雄螺旋が前記アームを上下に貫通する雌螺旋部に螺合するハンドル軸を有し、前記ハンドルによる前記ハンドル軸の回転によって前記抑え部に対する前記アームの一端部の上動制限と共に前記蓋の下動により前記開口が密閉され、前記チャンバー内で被滅菌物を蒸気にて滅菌するものがある。
【０００３】
この特許文献１のものは、滅菌動作条件の設定や、滅菌動作のスタート制御等を行うスイッチの操作部をどこに設けるかは定かでないが、縦型蒸気滅菌器において、本体部の上面板２Ｐの上面後部に滅菌動作条件の設定や、滅菌動作のスタート制御等を行うスイッチ及びその操作部等を有するコントロールボックスを配置したものとして、本出願人の特許文献２がある。
【先行技術文献】
【特許文献】
【０００４】
【特許文献１】特開平１１−２７６５５７号公報
【特許文献２】特願２００９−１４７３２４号
【発明の概要】
【発明が解決しようとする課題】
【０００５】
特許文献２の形態では、図１に示すように、コントロールボックス２Ａに設けたスイッチなどの電気部品を取り付けた基板と、制御部や電源部等の電気部品を取り付けた基板を収容した電装ボックスＤＢとは、両基板がリード線ＲＳにて接続されるが、コントロールパネル２Ａと電装ボックスＤＢに亘るリード線ＲＳの長さを短くするために、コントロールボックス２Ａの直下の本体部内に取り付けられる。また、電装ボックスＤＢは、修理・点検がし易いように矩形状ボックスの後側の面が開放し、この後側の面がカバー板で覆われた非防水型形態である。この場合、リード線ＲＳは、コントロールボックス２Ａの底面に対応した本体部２の上面板２Ｐの貫通孔（図５に示すＫＡ）を通って配線されている。この構成において、通常使用状態では、上面板２Ｐの上面やコントロールボックス２Ａの上面に水滴が掛かっても、この水が電装ボックスＤＢへ侵入して故障の原因になることはない構成となっている。
【０００６】
コントロールボックス２Ａに関して見れば、図５に示すように、本体部２の上面板２Ｐの後部にコントロールボックス２Ａは取り付けられ、スイッチ操作部ＳＷＰの操作性を確保しつつ、防水構造を達成するために、スイッチ操作部ＳＷＰを覆うように、コントロールボックス２Ａの上面をカバーフィルムＦＭで覆い、カバーフィルムＦＭの周辺部と適所をコントロールボックス２Ａの上面に接着剤で接着している。この状態では、コントロールボックス２Ａの上面に水滴が掛かっても、コントロールボックス２Ａ内に水は侵入しないが、このカバーフィルムＦＭの端部の接着が剥がれた場合には、その部分ＦＭＢから入った水が、スイッチ操作部ＳＷＰやその他の部分からコントロールボックス２Ａ内に侵入する虞がある。
【０００７】
このように、カバーフィルムＦＭの端部の接着が剥がれた部分ＦＭＢからコントロールボックス２Ａ内に水が侵入した場合は、リード線ＲＳが通る上面板２Ｐの貫通孔ＫＡから落下して電装ボックスＤＢに掛かり、その水が電装ボックスＤＢ内に侵入して、制御部や電源部等に掛かり故障の原因となることが懸念される。また、上記のリード線ＲＳを伝って電装ボックスＤＢ内に侵入し、その水が制御部や電源部等に掛かった場合は、故障の原因となることが懸念される。
【０００８】
また、縦型蒸気滅菌器では、チャンバー４が高温になるが、その熱によってコントロールボックス２Ａ内の温度が上昇し過ぎないようにするために、本体部２の上面板２Ｐのコントロールボックス２Ａの底面に対応した部分に空気流通孔を形成する場合には、上記のようにカバーフィルムＦＭの端部の接着が剥がれた部分ＦＭＢからコントロールボックス２Ａ内に侵入した水が、この空気流通孔から落下して電装ボックスＤＢに掛かり、その水が電装ボックスＤＢ内に侵入して、制御部や電源部等に掛かり故障の原因となることが懸念される。
【０００９】
上記のように、コントロールボックス２Ａ内に侵入した水が、下方の電装ボックスＤＢに掛かった場合に、電装ボックスＤＢ内に侵入しないように、電装ボックスＤＢを密閉された防水構造とすれば、制御部や電源部等へ水が掛かることを防止できるが、電装ボックスＤＢのコストアップとなり好ましくなく、また、電装ボックスＤＢ内の点検や修理の度に密閉に戻すための手間が掛かり面倒となる。
【００１０】
本発明は、このような点に鑑み、電装ボックスの低コスト化を図るために、防水構造とせず、上記のように、カバーフィルムの端部の接着が剥がれた部分からコントロールボックス内に水が侵入した場合でも、電装ボックス内に侵入しない構成でもって、電装ボックス内の電気部品を上方から落下する水から保護する構成を提供するものである。
【課題を解決するための手段】
【００１１】
本発明は、本体部の上面に開口した縦型チャンバーと、前記開口を開閉する蓋と、前記本体部の上面板の上面後部に配置したコントロールパネルと、前記コントロールパネルの直下の前記本体部内に配置され前記上面板を貫通して延びるリード線にて前記コントロールパネルの電気部品と接続される電気部品を収容した非防水型電装ボックスを備えた縦型蒸気滅菌器において、前記電装ボックスは、背壁を前側とし前記本体部の後方に向けて開口し、上壁は端部に防水立壁を形成して前記背壁へ向け低く傾斜し、かつ前記上壁の端部が側壁の上端部の上側にオーバーラップし、前記コントロールパネルと前記電装ボックスに亘るリード線が前記電装ボックスの側壁を貫通して配線されたことを特徴とする。
【発明の効果】
【００１２】
本発明によって、コントロールパネルと電装ボックスに亘るリード線の長さを短くするために、コントロールパネルの直下の本体部内に電装ボックスを配置する構成を採用した場合、コントロールボックスの上面を覆うカバーフィルムが剥がれた部分から入った水が、コントロールボックス内を通って、リード線が上面板を貫通する孔の部分から流下し、その水が電装ボックスの上壁に落下しても、端部の防水立壁によって電装ボックス内へ侵入せず、且つ上壁の傾斜に沿って背壁へ向けて流れる。また、上壁と側壁が背壁と連続した折り曲げによって形成される場合、上壁と側壁の上端部間に隙間が生じるが、この隙間は、上壁の端部が側壁の上端部の上側にオーバーラップすることにより覆われるため、電装ボックス内へ侵入しない。このため、電装ボックスは、本体部の後方に向けて開口し、何らかのカバー板で覆われる非防水型であっても、電装ボックスの上壁に落下した水が電装ボックス内に流入することがなく、電装ボックス内の電気部品に水が掛かり故障の原因となることが防止されるものとなる。
【００１３】
また、チャンバーの熱によってコントロールボックス内の温度が上昇し過ぎないようにするために、本体部の上面板のコントロールボックスの底面に対応した部分に空気流通孔を形成する場合でも、この空気流通孔から落下する水が電装ボックスの上壁に落下しても、上壁の傾斜とオーバーラップの構成によって、上記同様に、電装ボックス内に流入することが防止できる。
【００１４】
また、本発明では、コントロールパネルと電装ボックスに亘るリード線は、電装ボックスの側壁を貫通して配線されるため、リード線を伝わって流下する水が電装ボックス内に流入することを防止し易くなり、非防水型電装ボックスのように低コストの電装ボックスの採用に適するものとなる。
【図面の簡単な説明】
【００１５】
【図１】本発明に係る縦型蒸気滅菌器の蓋密閉保持状態における全体斜視図である。
【図２】本発明に係る縦型蒸気滅菌器の裏板を取り外してコントロールパネルと電装ボックスとの配置関係を示す背面斜視図である。
【図３】本発明に係る電装ボックスの形成の説明図である。
【図４】本発明に係る電装ボックスの構成を拡大で示す背面斜視図である。
【図５】本発明に係る縦型蒸気滅菌器のコントロールパネルのカバーフィルムが剥がれた状態を示す説明図である。
【発明を実施するための形態】
【００１６】
［実施例１］
本発明の実施例を図面に基づいて説明する。図１に示すように、本発明の縦型蒸気滅菌器１は、本体部２の上面に開口した円筒形状の縦型チャンバー４と、このチャンバー４の上面開口を開閉する蓋５を備え、本体部２の上面にチャンバー４の上面開口を挟む位置に支持部７と抑え部８が配置され、自由端である一端部９Ａが抑え部８に対して上下動可能になるよう支持端である他端部９Ｂが支持部７に横方向回動可能に支持されたアーム９と、アーム９と螺旋嵌合したハンドル軸１３の上端部に固定されたハンドル１０を備えている。ハンドル軸１３の下端部には蓋５が自由回転可能に支持されており、ハンドル１０を正方向または逆方向へ回転させることによりハンドル軸１３が回転し、アーム９とハンドル軸１３が相対的に上下動する仕組みである。
【００１７】
アーム９は、その支持端９Ｂが、支持部７にナット４３によって取り付けられて、横方向回動可能、且つアーム９の自由端９Ａが上動（上方向移動）可能に支持されており、支持部７を軸としてアーム９を所定の横方向に回動させることができる。このため、蓋５がチャンバー４内の上面開口３の上方に離れた位置へ上昇した状態において、アーム９を所定の横方向に回動させることにより、それに伴って蓋５が所定の横方向に回動するため、チャンバー４の上面開口を外れた位置へ蓋５を移動でき、チャンバー４内への被滅菌物の収容、及びチャンバー４内からの被滅菌物の取り出しが可能となる。
【００１８】
チャンバー４内へ被滅菌物を収容し、蓋５がチャンバー４の上面開口の上方位置となるようにアーム９を回動させると共に、アーム９の自由端９Ａを抑え部８に嵌め込む。抑え部８は、一方向に受入口８Ｂを開放した構成であり、アーム９の回動によってアーム９の自由端９Ａは、この受入口８Ｂから侵入し、この受入口８Ｂの奥側に設けた停止部に衝突した位置に保持される。この状態で、蓋５はチャンバー４の上面開口の真上位置となる。
【００１９】
この状態で、蓋５を下降すべくハンドル１０を正方向回転させることにより、ハンドル軸１３も回転する。この正方向回転は、アーム９の自由端９Ａが受入口８Ｂの奥側に設けた上記停止部に衝突する方向に作用するため、自由端９Ａが受入口８Ｂの奥側に位置した状態を保つことができる。アーム９は所定の荷重を持つため、ハンドル１０の正方向回転に伴ってアーム９の自由端９Ａが上動（上方向移動）し、抑え部８の上辺８Ａに当接してこの上動（上方向移動）が制限されると共に、スイッチ１５がＯＮする。この制限された状態からハンドル１０の更なる正方向回転に伴って、ハンドル軸１３がアーム９に対して降下するため、蓋５が下動してチャンバー４の上面開口が密閉される構成である。この密閉状態において、初期の滅菌動作が行われる。なお、ハンドル１０の逆方向回転によって、蓋５を開くことができる。
【００２０】
本体部２の上面板２Ｐの上面後部にはコントロールパネル２Ａ配置され、コントロールパネル２Ａの直下の本体部２内には非防水型電装ボックスＤＢが配置されている。この配置は、コントロールパネル２Ａと電装ボックスＤＢとに亘るリード線ＲＳの長さを短くできる構成である。
【００２１】
コントロールボックス２Ａ内には、滅菌動作のスタートスイッチ、電源スイッチ、リセットスイッチ、温度設定スイッチ、時間設定スイッチ、ＯＮ（押す）ごとに温度または時間をアップ（増加）させるアップスイッチ、ＯＮ（押す）ごとに温度または時間をダウン（減少）させるダウンスイッチ等の各種のスイッチＳＷの電気部品や、設定した温度および時間を表示する表示部などの電気部品が配置されたコントロールボックス側基板ＲＳＰが収容されている。また、電装ボックスＤＢ内には、コントロールボックス２Ａ内のスイッチＳＷや表示部と電気的に接続された制御部の電気部品ＳＧや、電源部を構成するトランスＴＲやリレーＲＹ等の交流用電気部品ＢＧを取り付けた電装ボックス側基板ＤＢＰが収容されている。電装ボックス側基板ＤＢＰは、実施例では、制御部の電気部品ＳＧ（滅菌動作制御用のマイクロコンピュータや表示制御部等を含む直流電気部品）を取り付けた基板ＤＢＰ１と、コントロールボックス側基板ＲＳＰと制御部の電気部品ＳＧを取り付けた基板ＤＢＰ１の電源部を構成するトランスＴＲやチャンバー４内の加熱用電気ヒータのＯＮ／ＯＦＦ制御用リレーＲＹ等の交流用電気部品ＢＧを取り付けた基板ＤＢＰ２で構成している。
【００２２】
リード線ＲＳは、コントロールボックス２Ａ内に設けたスイッチなどの電気部品を取り付けたコントロールボックス２Ａ内の基板ＲＳＰと、電装ボックスＤＢに収容した制御部の電気部品ＳＧや電源部等の電気部品ＢＧを取り付けた電装ボックスＤＢ内の基板ＤＢＰとを電気的に接続している。
【００２３】
コントロールボックス２Ａ内に設けたスイッチを操作するためのスイッチ操作部ＳＷＰの操作性を確保しつつ、防水構造を達成するために、スイッチ操作部ＳＷＰを覆うように、コントロールボックス２Ａの上面をカバーフィルムＦＭで覆い、カバーフィルムＦＭの周辺部と適所をコントロールボックス２Ａの上面に接着剤で接着している。この状態では、コントロールボックス２Ａの上面に水滴が掛かっても、コントロールボックス２Ａ内に水は侵入しない。
【００２４】
電装ボックスＤＢは、図２及び図４に示すように、修理・点検がし易いように、背壁ＤＢ１を本体部の前面側に向くように前側とし、上壁と側壁によって囲まれ本体部２の後方に向けて開口している。電装ボックスＤＢは、背壁ＤＢ１と、上下壁と、左右側壁とによって囲まれた後面開口のボックス形状を基本形態とするが、電装ボックスＤＢのコストダウンのために、実施例では、電装ボックスＤＢの左右の一方の側壁が本体部２の左右の一方の側壁（背面視で左側壁２Ｈ）で兼用され、電装ボックスＤＢの底壁が本体部２の底壁２Ｔで兼用される構成となっている。
【００２５】
実施形態の電装ボックスＤＢの形成は、図３に示すように、一枚の金属板ＫＰを点線で示す位置で折り曲げて、背壁ＤＢ１と、上壁ＤＢ２と、右側壁ＤＢ３と、防水立壁ＢＴと、オーバーラップ部ＶＬが形成される構成である。
【００２６】
また、電装ボックスＤＢは、上壁ＤＢ２は背面視で後端部と左端部に防水立壁ＢＴを折り曲げにて一体形成し、上壁ＤＢ２は背壁ＤＢ１へ向け低く傾斜している。また、上壁ＤＢ２の右端部が右側壁ＤＢ３の上端部の上側にオーバーラップするように折曲しており、上壁ＤＢ２の上端と右側壁ＤＢ３の上端との間に生じる隙間が、このオーバーラップ部ＶＬによって覆われ、上壁ＤＢ２の上に落下した水がこの隙間から電装ボックスＤＢ内へ流入するのを防止している。
【００２７】
このように、実施例の電装ボックスＤＢは、背壁ＤＢ１と、上壁ＤＢ２と、背面視での右側壁ＤＢ３が一枚の金属板の折り曲げによって形成され、本体部２に取り付けたとき、背面視で右側面が本体部２の左側壁２Ｈにて塞がれ、底面が本体部２の底壁２Ｔで塞がれるように、本体部２内の一方の側壁に寄った位置に取り付けられている。電装ボックスＤＢを本体部２内に取り付けた状態で、本体部２の後カバー板２Ｂを本体部２の後面開口の周縁部にネジ止めにて取り付けたとき、電装ボックスＤＢの後面開口に後カバー板２Ｂが当接または近接する状態となり、電装ボックスＤＢの後面開口は、この後カバー板２Ｂで覆われる状態となる。このため、電装ボックスＤＢの後面開口を塞ぐカバー板を省略できる構成となっている。
【００２８】
リード線ＲＳは、コントロールボックス２Ａの底面に対応した本体部２の上面板２Ｐの貫通孔ＫＡを通って配線されている。リード線ＲＳが電装ボックスＤＢの右側壁ＤＢ３の貫通孔ＫＢを貫通して略垂直状態に配線されるが、リード線ＲＳを伝って流下する水が貫通孔ＫＢから電装ボックスＤＢ内へ流入するのを防止するために、電装ボックスＤＢの外側でリード線ＲＳをＵターンさせた水切り部ＵＴを形成している。
【００２９】
また、滅菌動作によってチャンバー４は高温となるが、その熱によってコントロールボックス２Ａ内の温度が上昇し過ぎないようにするために、本体部２の上面板２Ｐのコントロールボックス２Ａの底面に対応した部分に、複数の空気流通孔ＡＡを形成している。
【００３０】
図５に示すように、コントロールボックス２Ａの上面のカバーフィルムＦＭの端部の接着が剥がれた場合には、その部分ＦＭＢから入った水が、スイッチ操作部ＳＷＰやその他の部分からコントロールボックス２Ａ内に侵入する虞がある。カバーフィルムＦＭの端部の接着が剥がれた部分ＦＭＢからコントロールボックス２Ａ内に水が侵入した場合は、リード線ＲＳが通る上面板２Ｐの貫通孔ＫＡ、及びまたは、空気流通孔ＡＡから落下して電装ボックスＤＢの上壁ＤＢ２に掛かる。その水は、防水立壁ＢＴによって上壁ＤＢ２端部からの流下が阻止され、上壁ＤＢ２の傾斜に沿って背壁ＤＢ１の外面へ流下するため、電装ボックスＤＢ内へ侵入しない。また、オーバーラップ部ＶＬへ達した水は、オーバーラップ部ＶＬによって、右側壁ＤＢ３の外面へ流下するため、電装ボックスＤＢ内へ侵入しない。更に、リード線ＲＳを伝って流下する水は、水切り部ＵＴによって落下し、貫通孔ＫＢから電装ボックスＤＢ内へ流入することはない。
【００３１】
このように、カバーフィルムＦＭの端部の接着が剥がれた部分ＦＭＢからコントロールボックス２Ａ内に侵入した水は、下方の電装ボックスＤＢ内へ侵入しないため、非防水型電装ボックスとすることができ、コストアップを抑制した防水効果のある電装構造となる。
【産業上の利用可能性】
【００３２】
本発明は、上記実施例に限定されず、縦型チャンバー方式の種々の形態の縦型蒸気滅菌器に適用できるものであり、本発明の技術範囲において種々の形態を包含するものである。
【符号の説明】
【００３３】
１・・・・・縦型蒸気滅菌器
２・・・・・本体部
２Ａ・・・・コントロールボックス
２Ｈ・・・・本体部の左側壁
２Ｔ・・・・本体部の底壁
４・・・・・縦型チャンバー
５・・・・・蓋
７・・・・・支持部
８・・・・・抑え部
９・・・・・アーム
１０・・・・ハンドル
１３・・・・ハンドル軸
ＡＡ・・・・空気流通孔
ＤＢ・・・・電装ボックス
ＤＢ１・・・電装ボックスの背壁
ＤＢ２・・・電装ボックスの上壁
ＤＢ３・・・電装ボックスの右側壁
ＤＢＰ・・・電装ボックス側基板
ＤＢＰ１・・基板
ＤＢＰ２・・基板
ＦＭ・・・・カバーフィルム
ＦＭＢ・・・カバーフィルムの剥がれた部分
ＫＡ・・・・貫通孔
ＫＢ・・・・貫通孔
ＲＳ・・・・リード線
ＲＳＰ・・・コントロールボックス側基板
ＳＧ・・・・制御部の電気部品
ＢＧ・・・・交流用電気部品
ＳＷ・・・・スイッチ
ＳＷＰ・・・スイッチ操作部
ＵＴ・・・・水切り部
【図１】
2011072508.tif 000003
【図２】
2011072508.tif 000004
【図３】
2011072508.tif 000005
【図４】
2011072508.tif 000006
【図５】
2011072508.tif 000007